(57)【要約】【課題】作業効率の向上を図ることが可能であるとともに、異物混入の防止をすることが可能な紙袋一括投入式ストックタンクを提供する。【解決手段】紙袋一括投入式ストックタンク１１は、原料１２を貯蔵するためのストックタンク１３と、ストックタンク１３に連続するタンク上流側通路部１４とを備えて構成されている。タンク上流側通路部１４は、この内部が原料の入った紙袋１６に対する通路として形成されている。タンク上流側通路部１４には、原料の入った紙袋１６の紙袋１７のみを切って開封する紙袋切開手段２１と、原料１２のみが通過し紙袋１７の侵入が規制される紙袋侵入規制手段２２と、原料１２がなくなった状態の紙袋１７をタンク上流側通路部１４の外に取り出して回収する紙袋回収手段２３とが設けられている。【選択図】図１
2009173294.tif 000002
【特許請求の範囲】
【請求項１】
原料を貯蔵するストックタンクと、該ストックタンクの原料投入口に連続するとともに原料の入った紙袋が投入されるタンク上流側通路部とを備え、該タンク上流側通路部には、前記原料の入った紙袋の紙袋のみを切って開封する紙袋切開手段と、前記原料のみが通過し前記紙袋の侵入が規制される紙袋侵入規制手段と、前記原料がなくなった状態の前記紙袋を前記タンク上流側通路部の外に取り出して回収する紙袋回収手段とを設ける
ことを特徴とする紙袋一括投入式ストックタンク。
【請求項２】
請求項１に記載の紙袋一括投入式ストックタンクにおいて、
少なくとも前記紙袋侵入規制手段の位置で振動を生じさせる振動発生手段を前記タンク上流側通路部又は前記ストックタンクに設ける
ことを特徴とする紙袋一括投入式ストックタンク。
【発明の詳細な説明】
【技術分野】
【０００１】
本発明は、原料の入った紙袋のまま投入することが可能な紙袋一括投入式ストックタンクに関する。
【背景技術】
【０００２】
コンパウンド製造工程（例えば下記特許文献１参照）において、この製造工程で使用される原料（主にペレット）は、ストックタンク（原料ストックタンク）に貯蔵されたものが用いられる。ストックタンクに原料を貯蔵するまでの作業工程としては、図３に示す如く、先ず原料の入った紙袋１を段積みされた状態２の中から取り出して床３に置き（第一作業工程）、次にカッター４で原料の入った紙袋１を開封し（第二作業工程）、最後に原料の入った紙袋１を持ち上げ開封部分５から原料６を原料投入口７を介してストックタンク８に投入する（第三作業工程）という一連の作業工程を経て原料６が貯蔵される。
【特許文献１】特開２００５−１５３３９７号公報
【発明の開示】
【発明が解決しようとする課題】
【０００３】
ストックタンク８に原料６を貯蔵するまでの作業工程は、上記の如く三つの作業工程を経る必要がある。従って、従来の作業工程にあっては、作業効率が良くないという問題点を有している。また、原料の入った紙袋１を床３に置いて作業をすることから、床３の上の埃・ゴミ等が付着した場合、原料６の投入に伴って埃・ゴミ等がストックタンク８内に入り込んでしまう恐れがある。従って、従来の作業工程にあっては、異物混入を引き起こしてしまうという問題点を有している。
【０００４】
本発明は、上記した事情に鑑みてなされたもので、作業効率の向上を図ることが可能であるとともに、異物混入の防止をすることが可能な紙袋一括投入式ストックタンクを提供することを課題とする。
【課題を解決するための手段】
【０００５】
上記課題を解決するためになされた請求項１記載の本発明の紙袋一括投入式ストックタンクは、原料を貯蔵するストックタンクと、該ストックタンクの原料投入口に連続するとともに原料の入った紙袋が投入されるタンク上流側通路部とを備え、該タンク上流側通路部には、前記原料の入った紙袋の紙袋のみを切って開封する紙袋切開手段と、前記原料のみが通過し前記紙袋の侵入が規制される紙袋侵入規制手段と、前記原料がなくなった状態の前記紙袋を前記タンク上流側通路部の外に取り出して回収する紙袋回収手段とを設けることを特徴としている。
【０００６】
このような特徴を有する本発明によれば、原料の入った紙袋を直接、タンク上流側通路部に投入するだけとなる一つの作業工程で原料をストックタンクに貯蔵することが可能になる。また、本発明によれば、原料の入った紙袋の投入の際に、埃・ゴミ等の付着の恐れがある例えば床上に原料の入った紙袋を置く必要のない作業にすることが可能になる。
【０００７】
請求項２記載の本発明の紙袋一括投入式ストックタンクは、請求項１に記載の紙袋一括投入式ストックタンクにおいて、少なくとも前記紙袋侵入規制手段の位置で振動を生じさせる振動発生手段を前記タンク上流側通路部又は前記ストックタンクに設けることを特徴としている。
【０００８】
このような特徴を有する本発明によれば、紙袋侵入規制手段の位置で振動が生じることにより、原料の滞留が防止される。
【発明の効果】
【０００９】
請求項１に記載された本発明によれば、従来に比べ作業効率を向上させることができるという効果を奏する。また、異物混入を防止することができるという効果も奏する。
【００１０】
請求項２に記載された本発明によれば、原料を確実にストックタンクに貯蔵することができるという効果を奏する。
【発明を実施するための最良の形態】
【００１１】
以下、図面を参照しながら説明する。図１は本発明の紙袋一括投入式ストックタンクの一実施の形態を示す模式図である。また、図２はタンク上流側通路部に設けられる紙袋切開手段の模式図である。
【００１２】
図１において、引用符号１１は本発明の紙袋一括投入式ストックタンクを示している。この紙袋一括投入式ストックタンク１１は、原料１２を貯蔵するためのストックタンク１３と、ストックタンク１３に連続するタンク上流側通路部１４とを備えて構成されている。紙袋一括投入式ストックタンク１１は、例えば段積み状態１５となる中から原料の入った紙袋１６を運んで、直接、タンク上流側通路部１４に投入するだけで原料１２をストックタンク１３に貯蔵することができるように構成されている。
【００１３】
原料１２は、コンパウンドの製造に必要な材質のものであって、例えばペレット状となる形状に形成されている。尚、原料１２を所定量だけ紙袋１７に入れて封をすることにより、上記原料の入った紙袋１６になるものとする。
【００１４】
原料１２を貯蔵するためのストックタンク１３は、所定の容量を有するように形成されている。ストックタンク１３の上部には、円形の原料投入口１８が形成されている（形状は一例であるものとする）。この原料投入口１８には、タンク上流側通路部１４が連成されている。一方、ストックタンク１３の下部には、特に図示しないが、例えばホッパーに原料１２を供給するための原料供給部が形成されている。
【００１５】
タンク上流側通路部１４は、原料の入った紙袋１６がこのままの状態で投入される部分であって、上部に円形の紙袋投入口１９が開口形成されている（形状は一例であるものとする）。タンク上流側通路部１４の下部は、ストックタンク１３の原料投入口１８に連成されている。紙袋投入口１９は、原料投入口１８よりも小径となるように形成されている（一例であるものとする）。タンク上流側通路部１４の側部２０は、紙袋投入口１９と原料投入口１８の直径の違いから、テーパ形状に形成されている。
【００１６】
タンク上流側通路部１４は、この内部が原料の入った紙袋１６に対する通路として形成されている。このようなタンク上流側通路部１４には、原料の入った紙袋１６の紙袋１７のみを切って開封する紙袋切開手段２１と、原料１２のみが通過し紙袋１７の侵入が規制される紙袋侵入規制手段２２と、原料１２がなくなった状態の紙袋１７をタンク上流側通路部１４の外に取り出して回収する紙袋回収手段２３とが設けられている。
【００１７】
紙袋切開手段２１は、紙袋投入口１９と原料投入口１８との間となるタンク上流側通路部１４の中間に設けられている。紙袋侵入規制手段２２は、本形態において、原料投入口１８に連続する位置に設けられている。紙袋侵入規制手段２２は、原料１２のみが通過可能となる構造であって、本形態においては網部材が一例として用いられている。紙袋回収手段２３は、紙袋切開手段２１と紙袋侵入規制手段２２との間に設けられている。
【００１８】
紙袋回収手段２３は、紙袋切開手段２１を通過して紙袋侵入規制手段２２により補足された紙袋１７をタンク上流側通路部１４の外に取り出して回収することが可能な構成であって、本形態においては、エアーの流れを利用するようになっている。
【００１９】
具体的に説明すると、タンク上流側通路部１４の側部２０には、エアー噴出孔２４とエアー吸引孔２５とがそれぞれ貫通形成されており、エアー噴出孔２４にはエアー導入配管２６が、エアー吸引孔２５には紙袋回収兼用配管２７が連結されている。また、特に図示しないが、エアーを生じさせる装置と、エアーを吸引する装置とが設けられている。紙袋侵入規制手段２２により補足された紙袋１７は、エアーの吸引に伴って回収されるようになっている（紙袋１７が残っていると、例えば次の原料の入った紙袋１６を投入した際に、原料１２の落下及び貯蔵の妨げになる）。
【００２０】
尚、紙袋１７が紙袋切開手段２１を通過しない場合（原材料１２は通過する）を想定して、例えばエアー吸引孔２５及び紙袋回収兼用配管２７と同じものを紙袋投入口１９と紙袋切開手段２１と間に設けても良いものとする。
【００２１】
図１及び図２に置いて、紙袋切開手段２１は、鋭利な刃物２８を複数有して構成されている。また、紙袋切開手段２１は、鋭利な刃物２８同士の間に貫通部分２９が生じるように構成されている。紙袋切開手段２１は、鋭利な刃物２８によって、原料の入った紙袋１６に開封部分３０を生じさせるようになっている（原料の入った紙袋１６の投入速度や自身の重さも開封部分３０を生じさせる要因となるものとする）。原料の入った紙袋１６に開封部分３０が生じるとこの中の原料１２が落下することから、作業者の手で開封を行う必要性のない構造になっている。
【００２２】
鋭利な刃物２８は、図２に示す如く、放射状に配置され中心に向かって山となる複数の第一刃物２８ａと、環状に配され波形となる複数の第二刃物２８ｂとを備えて構成されている（一例であるものとする）。第二刃物２８ｂは、波形の山が第一刃物２８ａの接点となるように形成されている。引用符号３１はタンク上流側通路部１４の内面に固定される内面固定部分を示している。第一刃物２８ａ及び第二刃物２８ｂの図中の数は一例であるものとする。
【００２３】
タンク上流側通路部１４には、上記構成の他に、紙袋侵入規制手段２２の位置で振動を生じさせる振動発生手段３２が設けられている。この振動発生手段３２は、原料１２の滞留を防止するために設けられている（上記網部材の網目にもよるが、振動は微弱な振動で十分であるものとする。また、振動は連続でなく定期的に生じるようにしても良いものとする。原料１２の滞留を防止するために上記エアーを利用しても良いものとする。尚、振動発生手段３２はストックタンク１３側に設けても良いものとする）。
【００２４】
上記構成において、原料の入った紙袋１６を紙袋投入口１９を介してタンク上流側通路部１４に投入すると、紙袋切開手段２１によって開封部分３０が生じ、この開封部分３０から原料１２がこぼれて落下する。原料１２は、紙袋侵入規制手段２２に滞留することなく通過してストックタンク１３に貯蔵される。紙袋切開手段２１の貫通部分２９を通過し紙袋侵入規制手段２２によって補足された紙袋１７は、原料１２がなくなった状態のものとなり、この後にエアーの吸引に伴ってタンク上流側通路部１４の外へ運ばれて回収される。
【００２５】
以上、図１及び図２を参照しながら説明してきたように、本発明の紙袋一括投入式ストックタンク１１は、原料の入った紙袋１６を直接、タンク上流側通路部１４に投入するだけとなる一つの作業工程で、原料１２をストックタンク１３に貯蔵することができるようになる。従って、従来に比べ作業効率を向上させることができるという効果を奏する。また、本発明の紙袋一括投入式ストックタンク１１は、原料の入った紙袋１６を、埃・ゴミ等の付着の恐れがある例えば床３３の上に置く必要がない作業にすることができるようになる。従って、異物混入を防止することができるという効果も奏する。
【００２６】
本発明は本発明の主旨を変えない範囲で種々変更実施可能なことは勿論である。
【図面の簡単な説明】
【００２７】
【図１】本発明の紙袋一括投入式ストックタンクの一実施の形態を示す模式図である。
【図２】タンク上流側通路部に設けられる紙袋切開手段の模式図である。
【図３】従来のストックタンクに原料を貯蔵するまでの作業工程に係る説明図である。
【符号の説明】
【００２８】
１１  紙袋一括投入式ストックタンク
１２  原料
１３  ストックタンク
１４  タンク上流側通路部
１５  段積み状態
１６  原料の入った紙袋
１７  紙袋
１８  原料投入口
１９  紙袋投入口
２０  側部
２１  紙袋切開手段
２２  紙袋侵入規制手段
２３  紙袋回収手段
２４  エアー噴出孔
２５  エアー吸引孔
２６  エアー導入配管
２７  紙袋回収兼用配管
２８  鋭利な刃物
２９  貫通部分
３０  開封部分
３１  内面固定部分
３２  振動発生手段
３３  床
【図１】
2009173294.tif 000003
【図２】
2009173294.tif 000004
【図３】
2009173294.tif 000005